(57)【要約】      （修正有）【課題】軽量で環境保護に配慮し且つ安全で多様な使用方法を有するマグネット玩具を提供する。【解決手段】底板１００、形状板２００、透光片３００、マグネット４００及びマグネットペン５００からなり、形状板は底板の表面に重畳設置され、マグネットを収容して移動操作させる複数の空間２０１を形成する開口を設け、透光片は形状板上に重畳して設置し且つ該複数の空間を遮蔽する。マグネットは少なくとも一つ空間内に納置され、マグネットペンはマグネットを磁力によって吸着して前記空間内を移動操作する。マグネット玩具は、紙板及び透光プラスチック片を重畳して構成することにより軽量、且つ多様な使用方法に対応する。【選択図】図１
0003216489.tif 000002
【実用新案登録請求の範囲】
【請求項１】
マグネット玩具において、
底板と、
該底板の表面に重畳設置され、マグネットを収容して移動操作させる複数の空間を形成する開口を設けた形状板と、
該形状板上に重畳設置し、且つ該複数の空間を遮蔽する透光片と、
少なくとも一つの空間の内に納置する少なくとも一つのマグネットと、
該マグネットを吸着させるマグネットペンを含むことを特徴とするマグネット玩具。
【請求項２】
前記複数の空間は、少なくとも一部分が相互に連通することを特徴とする請求項１記載のマグネット玩具。
【請求項３】
前記底板は、前記マグネットを吸着するのに用いる少なくとも一つのマグネット板を設置したことを特徴とする請求項１記載のマグネット玩具。
【請求項４】
前記マグネット玩具は、更に可動部材を含み、前記可動部材は少なくとも一つの空間の中に納置し、且つ少なくとも一つのマグネットを該可動部材上に嵌合設置することを特徴とする請求項１記載のマグネット玩具。
【請求項５】
前記マグネットペンは磁性を備え、前記マグネットは軟磁性体の鉄製であることを特徴とする請求項１記載のマグネット玩具。
【請求項６】
前記底板は、前記マグネットを吸着するのに用いる少なくとも一つのマグネット板を設置し、該マグネット板は該マグネットを吸着するための磁性を備えることを特徴とする請求項５記載のマグネット玩具。
【請求項７】
前記マグネットペン、は磁性を備え、前記マグネットは、該マグネットペンを吸着する磁性を備えることを特徴とする請求項１記載のマグネット玩具。
【請求項８】
前記底板は、前記マグネットを吸着するのに用いる少なくとも一つのマグネット板を設置し、該マグネット板は軟磁性体である鉄製であるか、もしくは該マグネットを吸着するための磁性を備えることを特徴とする請求項７記載のマグネット玩具。
【請求項９】
前記マグネット板は、前記底板全体を構成することを特徴とする請求項６或いは請求項８記載のマグネット玩具。
【請求項１０】
前記マグネットは、磁性を備え、前記マグネットペンは軟磁性体の鉄製であることを特徴とする請求項１記載のマグネット玩具。
【請求項１１】
前記底板は、前記マグネットを吸着するのに用いる少なくとも一つのマグネット板を設置し、該マグネット板は軟磁性体の鉄製であるか、もしくは該マグネットを吸着するための磁性を備えることを特徴とする請求項１０記載のマグネット玩具。
【請求項１２】
前記マグネット板は前記底板全体を構成することを特徴とする請求項１１のマグネット玩具。
【請求項１３】
前記形状板は、前記マグネットペンを納置するためのペン設置凹部を成形したことを特徴とする請求項１記載のマグネット玩具。
【請求項１４】
前記透光片上には外観層を被覆し、且つ前記ペン設置凹部は、該外観層から露出することを特徴とする請求項１３載のマグネット玩具。
【請求項１５】
前記透光片上には外観層を被覆し、且つ前記複数の空間は該外観層から露出することを特徴とする請求項１記載のマグネット玩具。
【請求項１６】
前記底板は、紙板もしくは発泡板とすることを特徴とする請求項１記載のマグネット玩具。
【請求項１７】
前記形状板は、紙板もしくは発泡板とすることを特徴とする請求項１記載のマグネット玩具。
【考案の詳細な説明】
【技術分野】
【０００１】
本考案は、マグネットにより操作するマグネット玩具に関するもので、特に紙製マグネット玩具に係る。
【背景技術】
【０００２】
現在のマグネット玩具の多くは、木板及びプラスチック板製であり、その木板上には凹溝からなる経路を設置し、且つ凹溝内に鋼球を入れ、次に凹溝上に透明プラスチック板を被せる。鋼球は凹溝に沿って回転移動可能であって、使用者は磁気棒で鋼球を吸着移動させる。
【先行技術文献】
【特許文献】
【０００３】
【特許文献１】特開２０１１−２０６２３８号公報
【特許文献２】特開２０１０−１２１４２号公報
【考案の概要】
【考案が解決しようとする課題】
【０００４】
解決しようとする問題点は、現在のマグネット玩具は重すぎるので、使用時ぶつかり易く、またその遊び方は単調である点である。
【０００５】
そのため、考案者は、上述の現有技術に対し、研究を重ね、上述の問題の改善を課題とする。
【課題を解決するための手段】
【０００６】
本考案は、底板、形状板、透光片、マグネット及びマグネットペンを含む。形状板は底板の表面に重畳設置し、形状板はマグネットを収容して移動操作させる複数の空間を形成する開口を設ける。透光片は形状板上に重畳して設置し且つ該複数の空間を遮蔽する。マグネットは少なくとも一つを空間内に納置する。マグネットペンはマグネットを吸着して、マグネットを移動操作する。本考案のマグネット玩具は、主に紙板及び透光プラスチック片を重畳して構成することを最も主要な特徴とする。
【考案の効果】
【０００７】
本考案のマグネット玩具は、軽量で環境保護に配慮し且つ安全で多様な使用方法を有する利点がある。
【図面の簡単な説明】
【０００８】
【図１】本考案の良好な実施例のマグネット玩具の立体分解指示図である。
【図２】本考案の良好な実施例のマグネット玩具の立体指示図である。
【図３】本考案の良好な実施例のマグネット玩具の使用状態指示図である。
【図４】本考案の良好な実施例のマグネット玩具の別の指示図である。
【図５】本考案の良好な実施例のマグネット玩具の別の変化指示図である。
【考案を実施するための形態】
【０００９】
本考案は、重畳した構造から構成されるマグネット玩具を提供する。
【００１０】
本考案は、底板、形状板、透光片、少なくとも一つのマグネット及びマグネットペンを含むマグネット玩具を提供する。形状板は底板の表面に重畳設置し、形状板はマグネットを収容して移動操作させる空間を形成する複数の開口を設け、透光片は形状板上に重畳して設置し且つ該複数の空間を遮蔽する。マグネットは少なくとも一つを空間の内に納置する。マグネットはマグネットペンによって吸着される。
【００１１】
本考案のマグネット玩具において、該複数の空間の少なくとも一部分は相互に連通する。底板はマグネットを吸着するのに用いる少なくとも一つのマグネット板を設置する。
【００１２】
本考案のマグネット玩具は、更に可動部材を含む。可動部材は空間内に納置し且つマグネットは可動部材上に嵌合設置する。
【００１３】
本考案のマグネット玩具において、マグネットペンは磁性を備え、且つマグネットは軟磁性体の鉄製である。底板はマグネットを吸着するのに用いる少なくとも一つのマグネット板を設置し、マグネット板はマグネットを吸着する磁性を備える。
【００１４】
本考案のマグネット玩具において、マグネットペンは磁性を備え、且つマグネットはマグネットペンを吸着する磁性を備える。底板はマグネットを吸着するのに用いる少なくとも一つのマグネット板を設置する。マグネット板は軟磁性体の鉄製であるか、もしくはマグネットを吸着する磁性を備える。
【００１５】
一例として本考案のマグネット玩具において、マグネット板は底板全体に構成する。
【００１６】
一例として、本考案のマグネット玩具において、マグネットは磁性を備え、且つマグネットペンは鉄製である。底板はマグネットを吸着するのに用いる少なくとも一つのマグネット板を設置する。マグネット板は鉄製であるか、もしくはマグネットを吸着する磁性を備える。
【００１７】
本考案のマグネット玩具において、形状板はマグネットペンを納置するペン設置凹部を設ける。透光片上には外観層を被覆し、ペン設置凹部は外観層から露出し、且つ空間は外観層から露出する。
【００１８】
本考案のマグネット玩具の構成において、底板は紙板であるか、もしくは発泡板である。形状板は紙板であるか、もしくは発泡板である。
【００１９】
本考案のマグネット玩具は、主に紙板及び透光プラスチック片を重畳して構成する。拠って軽量で環境保護に配慮し且つ安全で多様な使用方法を有する。
【実施例】
【００２０】
図１から図３に本考案のマグネット玩具の良好な実施例を示す。それは少なくとも底板１００、形状板２００、透光片３００、少なくとも一マグネット４００及びマグネットペン５００を含む。
【００２１】
本実施例において、底板１００は紙板が良いが、その材質には格別の制限はない。その他の例として、発泡スチロール、フォームボードもしくはウレタン等発泡板でも良い。
【００２２】
形状板２００は、透かし彫りのような切り抜き開口を形成できる紙板が良く、それは底板１００の表面に重畳設置するが、その材質には格別の制限はない。例えば、発泡スチロール、フォームボードもしくはウレタン等発泡板でも良い。形状板２００は、切り抜いた開口により複数の空間２０１を包囲して形成する。該複数の空間２０１は相互に分離しても、相互に連通しても良いが、該複数の空間２０１の少なくとも一部分(数個の空間２０１)の間は相互に連通する。
【００２３】
透光片３００は、透光プラスチック片で形成すると良い。透光片３００は、形状板２００上に重畳設置し、且つ該複数の空間２０１を遮蔽する。これによって空間２０１を閉じ、且つ使用者が透光片３００を通じて各空間２０１を観察することができる。透光片３００上には選択的に外観層３１０を被せ、且つ該複数の空間２０１は外観層３１０から露出する。
【００２４】
各空間２０１の少なくとも一つにはマグネット４００を入れ、且つマグネット４００は相互に連通した別の空間２０１へ移動可能とする。
マグネットペン５００は、該複数の空間２０１のうち、少なくとも一つのマグネット４００を吸着させ、それによって透光片３００を隔て該複数の空間２０１のうち、少なくとも一つのマグネット４００を移動させる。マグネット４００及びマグネットペン５００はどちらも任意の形状に造形し、本考案はマグネット４００及びマグネットペン５００の外形を限定しない。  したがって、マグネット４００は玩具を構成するパズル部品として相互に組み立てるようにすることができる。
【００２５】
底板１００は、少なくとも一つのマグネット４００を吸着させるのに用いる少なくとも一つのマグネット板１１０を選択的に設置する。これによって、該複数のマグネット４００の位置を固定する。マグネット板１１０は底板１００の内部に嵌入するか、もしくは底板１００と重畳配置するか、もしくは紙板を底板１００として採用せず、マグネット板１１０で底板１００全体を構成しても良い。
マグネット板１１０の範囲は図１から図４に示すような一部だけの少なくとも一つの空間２０１でもよく、図５に示すような全ての空間２０１でもよく、マグネット４００はマグネット板１１０にカバーされる範囲の空間２０１内に固定しても良い。
【００２６】
形状板２００にはペン設置凹部２０２を形成してマグネットペン５００を納置するのが望ましい。且つペン設置凹部２０２はマグネット板１１０の範囲内に配置し、マグネットペン５００をマグネット板１１０に吸着させてペン設置凹部２０２内に固定するのが望ましい。
ペン設置凹部２０２の外形は、マグネットペン５００の外形に対応したものとし、且つペン設置凹部２０２の辺縁は、ペン取出口２０３を形成して使用者がそこに指を入れてマグネットペン５００を取り出しやすくさせる。
透光片３００の面積は形状板２００全体の一部を被覆するだけでペン設置凹部２０２を被覆しなくても良い。また、形状板２００全体を被覆する透光片３００上にペン設置凹部２０２に対応する空間を形成し、ペン設置凹部２０２を設置し、且つペン設置凹部２０２は外観層３１０から露出する。
【００２７】
本考案は、空間２０１の形式を限定しない。例として図５に示すような形状板２００内に通道形式の空間２０１を形成し、包囲設置してもよい。図５に示すとおり、本考案のマグネット玩具は、更に少なくとも一つの大型の(前述のマグネット４００と比較して)可動部材６００を備えても良い。可動部材６００は少なくとも一つの空間２０１内に納置し、且つ少なくとも一つのマグネット４００を可動部材６００上に嵌合設置する。マグネットペン５００によって可動部材６００上のマグネット４００を吸着し、可動部材６００を移動させ、更に可動部材６００もマグネット板１１０の範囲内に固定される。
【００２８】
マグネット４００、マグネットペン５００及びマグネット板１１０は、すべて磁性材もしくは軟磁性体の鉄製を選択でき、且つ適するように対応配置し、相互に吸着作用させる。本考案はマグネット４００、マグネットペン５００及びマグネット板１１０の配置を限定しない。例としてマグネットペン５００が磁性材で磁性を備える場合、マグネット４００は軟磁性体である鉄製であるか、もしくは吸引マグネットペン５００を吸着する磁性を備える。マグネット４００が鉄製である場合、対応配置するマグネット板１１０はマグネット４００を吸着する磁性を備え、更にマグネットペン５００はその磁力でマグネット４００を吸着する。マグネット４００がマグネットペン５００を吸着する磁性を備える場合、対応配置するマグネット板１１０は鉄製であるか、もしくは各マグネット４００を吸着する磁性を備える。マグネット４００が磁性を備え、且つマグネットペン５００が鉄製である場合、マグネット板１１０は鉄製であるか、もしくは各マグネット４００を吸着する磁性を備える。マグネット板１１０とマグネットペン５００は異なる強度の磁性を備えてもよいが、マグネットペン５００の磁性強度がマグネット板１１０より大きいのが望ましい。拠ってマグネット板１１０上から吸着したマグネット４００を取外しやすい。
【００２９】
本考案のマグネット玩具は、主に紙板及び透光プラスチック片を重畳して構成するため、軽量で環境保護に配慮し且つ安全で多様な使用方法を有する。
【００３０】
以上は本考案の良好な実施例に過ぎず、本考案の請求範囲を制限するものではない。その他、本考案の技術的思想に基づく同様の作用効果を齎す構成はすべて本考案の請求範囲に属する。
【符号の説明】
【００３１】
１００        底板
１１０      マグネット板
２００      形状板
２０１      空間
２０２      ペン設置凹部
２０３      ペン取出口
３００      透光片
３１０      外観層
４００      マグネット
５００      マグネットペン
６００      可動部材
【図１】
0003216489.tif 000003
【図２】
0003216489.tif 000004
【図３】
0003216489.tif 000005
【図４】
0003216489.tif 000006
【図５】
0003216489.tif 000007